(57)【特許請求の範囲】
【請求項１】
冷却貯蔵室のドレン水をためる蒸発皿と、折り目を上下方向にして設置する水平断面三角波の蛇腹形状の蒸発促進布と、前記蒸発促進布を内側に挿入し支持する前記蒸発皿の上方に設けた枠体とを備え、前記蒸発促進布は左右方向に伸縮可能としたもので、前記枠体は前記蒸発皿の上端部を支点として回動自在とすることで、前記蒸発促進布の清掃時の着脱性と前記蒸発皿内部の清掃性とを高めたことを特徴とする冷却貯蔵庫のドレン水蒸発促進装置。
【請求項２】
枠体の内側に蒸発促進布を保持するための突起を備えたことを特徴とする請求項１記載の冷却貯蔵庫のドレン水蒸発促進装置。
【発明の詳細な説明】
【０００１】
【発明の属する技術分野】
本発明は、包装容器入り飲料などを冷蔵して販売する自動販売機、冷蔵庫などの冷却貯蔵庫のドレン水蒸発促進装置に関するものである。
【０００２】
【従来の技術】
近年、包装容器入り飲料自動販売機（以下自動販売機という）は、包装容器入り飲料を冷蔵する際に生じる結露水（以下ドレン水という）を蒸発させる工夫がされていた。従来の冷却貯蔵庫のドレン水蒸発促進装置としては、例えば実開平１−９１８７８号公報に示されているものがある。
【０００３】
以下、図面を参照しながら、上述した従来の冷却貯蔵庫のドレン水蒸発促進装置の一例について説明する。
【０００４】
図１４〜図１６は、従来の冷却貯蔵庫のドレン水蒸発促進装置を示すものである。
【０００５】
図において、１は内部に断熱仕切壁２を有する自動販売機の本体であり、断熱仕切壁２により左右の第１貯蔵室３ａと第２貯蔵室３ｂとを形成している。貯蔵室３ａ，３ｂは商品収納コラム４ａ，４ｂを有するとともに、その下部に冷却器５ａ，５ｂおよび冷却ファン６ａ，６ｂを備えている。
【０００６】
また、第１貯蔵室３ａと第２貯蔵室３ｂの前面開口部は断熱扉８を有した主扉７で覆われている。
【０００７】
本体１の下部には、蒸発皿９を上部に設けた蒸発皿台１０と、圧縮機１１と、凝縮器１２と、凝縮器冷却ファン１３と、圧縮機１１と凝縮器１２とを結ぶループ状の蒸発促進パイプ１４がある。
【０００８】
また、１５は蒸発促進布であり、蒸発皿９の内側に蒸発促進パイプ１４と蒸発促進布１５を配置している。
【０００９】
１６ａは第１貯蔵室３ａの下部に一端を接続し他端を蒸発皿９の上方に開口する排水パイプであり、１６ｂは第１貯蔵室３ｂの下部に一端を接続し他端を蒸発皿９の上方に開口する排水パイプである。
【００１０】
以上のように構成された冷却貯蔵庫のドレン水蒸発促進装置について、以下その動作について説明する。
【００１１】
自動販売機が冷却運転を行うと、第１貯蔵室３ａと第２貯蔵室３ｂの各冷却器５ａ，５ｂにて冷却され、その時ドレン水が発生する。発生したドレン水は各排水パイプ１６ａ，１６ｂにより蒸発皿９に流れていく。
【００１２】
蒸発皿９にたまったドレン水は、蒸発促進パイプ１４にて加温され、蒸発促進布１５によって蒸発し、ドレン水が蒸発皿９よりなくなってしまう。
【００１３】
【発明が解決しようとする課題】
しかしながら、上記のような構成では、蒸発台１０を取り除き、蒸発皿９と蒸発促進布１５を取出して清掃した後、再度取付ける時、蒸発皿９と蒸発促進布１５が固定されていないため、蒸発促進布１５が蒸発促進パイプ１４にあたり、再度取付けが困難となり、無理に取付けた場合、蒸発促進布１５が所定の位置関係に取付けられずに、第１貯蔵室３ａと第２貯蔵室３ｂから発生するドレン水を蒸発させることが出来なくなり、本体１の下部にドレン水がこぼれるという課題を有していた。
【００１４】
本発明は従来の課題を解決するもので、清掃時の蒸発促進布の取り付け方が容易で確実で、メンテナンス性のよい冷却貯蔵庫のドレン水蒸発促進装置を提供することを目的とする。
【００１５】
また、本発明の他の目的は、蒸発皿の中が容易に清掃できるようにすることである。
【００１６】
また、他の目的は、蒸発促進布が枠体内での姿勢が安定するようにすることである。
【００１７】
【課題を解決するための手段】
上記目的を達成するため、本発明の請求項１に記載の発明は、冷却貯蔵室のドレン水をためる蒸発皿と、折り目を上下方向にして設置する水平断面三角波の蛇腹形状の蒸発促進布と、前記蒸発促進布を内側に挿入し支持する前記蒸発皿の上方に設けた枠体とを備え、前記蒸発促進布は左右方向に伸縮可能としたもので、前記枠体は前記蒸発皿の上端部を支点として回動自在とすることで、前記蒸発促進布の清掃時の着脱性と前記蒸発皿内部の清掃性とを高めたことにより、清掃時の蒸発促進布の取り付け方が容易で確実で、メンテナンス性がよいという作用を有する。
【００１９】
本発明の請求項２に記載の発明は、請求項１に記載の発明に加え、枠体内側に蒸発促進布を保持するための突起を備えたものであり、清掃時の取り付け方が容易で確実で、メンテナンス性がよいとともに、蒸発促進布を枠体の突起で保持することで、蒸発促進布が枠体内での姿勢が安定するという作用を有する。
【００２３】
【発明の実施形態】
以下、本発明による冷却貯蔵庫のドレン水蒸発促進装置の実施の形態について、図面を参照しながら説明する。なお、従来と同一構成については、同一符号を付して詳細な説明を省略する。
【００２４】
（実施の形態１）
図1は、本発明の実施の形態１による冷却貯蔵庫のドレン水蒸発促進装置の斜視図である。図２は同実施の形態の冷却貯蔵庫のドレン水蒸発促進装置を用いた自動販売機の概略構成図である。
【００２５】
図１、図２において、１７は蒸発皿台１０の上部に位置する蒸発皿であり、本体１の下部に位置している。蒸発皿１７の上端部１７ａに上方に、上下方向に開口する枠体１８が固着してあり、枠体１８の内側に横断面三角波形状の蒸発促進布１９が上下方向に挿入してある。また、蒸発促進布１９は上下方向に蛇腹状に折り目があり、左右方向に伸び縮みする。
【００２６】
以上のように構成された冷却貯蔵庫のドレン水蒸発促進装置について、以下その動作を説明する。自動販売機の冷却運転により第１貯蔵室３ａ、第２貯蔵室３より発生したドレン水が、各排水パイプ１６ａ、１６ｂより蒸発皿１７に流れ込み、蒸発皿１７にたまったドレン水は、蒸発促進パイプ１４にて加温され、蒸発促進布１５より蒸発し、ドレン水が蒸発皿１７よりなくなってしまう。
【００２７】
また、蒸発皿１７と蒸発促進布１９の清掃後の取付は、蒸発促進布１９を枠体１８の内側に上下方向に挿入し、蒸発促進布１９を取付けた蒸発皿１７を蒸発促進パイプ１４の下方より、蒸発促進パイプ１４が蒸発皿１７の内側に位置するまで移動し、蒸発皿台１０が蒸発皿１７の下部の位置になるように蒸発皿台１０を移動し行う。
【００２８】
以上のように本実施の形態によれば、蒸発皿１７と蒸発促進布１９の清掃後の取付は、蒸発皿１７の上端部１７ａに上方に、固着した上下方向に開口する枠体１８に挿入して取付けるため、枠体１８より蒸発促進布１９が枠の外に移動することがなく、蒸発皿１７にたまったドレン水は、所定の蒸発を行い、蒸発皿１７より溢れることがなくなる。
【００２９】
（実施の形態２）
図３は、本発明の実施の形態２による冷却貯蔵庫のドレン水蒸発促進装置の斜視図である。図４は同実施の形態２における冷却貯蔵庫のドレン水蒸発促進装置の蒸発皿と枠体をしめす図である。図５は同実施の形態の冷却貯蔵庫のドレン水蒸発促進装置を用いた自動販売機の概略構成図である。
【００３０】
図３、図４、図５において、２０は蒸発皿台１０の上部に位置する蒸発皿であり、本体１の下部に位置している。蒸発皿２０の上端部２０ａに上端部２０ａを支点として矢印Ａのように回動して、蒸発皿２０の上方で上下方向に開口する枠体２１が設けてある。また蒸発皿２０の上端部２０ａには、枠体２１を掛止するための爪２０ｂが設けてある。枠体２１の内側に蒸発促進布１９が上下方向に挿入してある。また、蒸発促進布１９は上下方向に蛇腹状に折り目があり、左右方向に伸び縮みする。
【００３１】
以上のように構成された冷却貯蔵庫のドレン水蒸発促進装置について、以下その動作を説明する。自動販売機の冷却運転により第１貯蔵室３ａ、第２貯蔵室３より発生したドレン水が、各排水パイプ１６ａ，１６ｂより蒸発皿２０に流れ込み、蒸発皿２０にたまったドレン水は、蒸発促進パイプ１４にて加温され、蒸発促進布１５より蒸発し、ドレン水が蒸発皿２０よりなくなってしまう。
【００３２】
また、蒸発皿２０と蒸発促進布１９の取付時は、枠体２１は爪２０ｂにより蒸発皿２０の上方で掛止している。
【００３３】
また、蒸発皿２０と蒸発促進布１９の清掃時は、蒸発促進布１９を取外した後、枠体２１を掛止している爪２０ｂを外し、上端部２０ａを支点として回動して、枠体２１を蒸発皿２０の外側位置させて蒸発皿２０の内部を清掃する。
【００３４】
また、蒸発皿２０と蒸発促進布１９の清掃後の取付は、枠体２１は爪２０ｂにより蒸発皿２０の上方で掛止し、蒸発促進布１９を枠体２１の内側に上下方向に挿入し、蒸発促進布１９を取付けた蒸発皿２０を蒸発促進パイプ１４の下方より、蒸発促進パイプ１４が蒸発皿２０の内側に位置するまで移動し、蒸発皿台１０が蒸発皿２０の下部の位置になるように蒸発皿台１０を移動し行う。
【００３５】
以上のように本実施の形態によれば、蒸発皿２０と蒸発促進布１９の清掃および清掃後の取付は、蒸発皿２０の上端部２０ａに上端部２０ａを支点として回動して上方に掛止した上下方向に開口する枠体２１に挿入して取付けるため、清掃時は、蒸発促進布１９を取外した後、枠体２１を掛止している爪２０ｂを外し、上端部２０ａを支点として回動して、枠体２１を蒸発皿２０の外側に位置させて蒸発皿２０の内部を容易に清掃することができる。
【００３６】
また、枠体２１より蒸発促進布１９が枠の外に移動することがなく、蒸発皿２０にたまったドレン水は、所定の蒸発を行い、蒸発皿２０より溢れることがなくなる。
【００３７】
（実施の形態３）
図６は、本発明の実施の形態３による冷却貯蔵庫のドレン水蒸発促進装置の斜視図である。図７は同実施の形態の冷却貯蔵庫のドレン水蒸発促進装置を用いた自動販売機の概略構成図である。
【００３８】
図６、図７において、２２は蒸発皿台１０の上部に位置する蒸発皿であり、本体１の下部に位置している。蒸発皿２２の上端部２２ａに上方に、上下方向に開口する枠体２３が固着してあり、枠体２３の内側に突起２３ａが設けてある。
【００３９】
また、枠体２３の内側に蒸発促進布１９が上下方向に挿入し、また、蒸発促進布１９の端は、枠体２３と突起２３ａ間に挿入してある。蒸発促進布１９は上下方向に蛇腹状に折り目があり、左右方向に伸び縮みする。
【００４０】
以上のように本実施の形態によれば蒸発皿２２と蒸発促進布１９の清掃後の取付は、蒸発皿２２の上端部２２ａに上方に、固着した上下方向に開口する枠体２３の内側に蒸発促進布１９が上下方向に挿入し、また、蒸発促進布１９の端は、枠体２３と突起２３ａ間に挿入して取付けるため、蒸発促進布１９は枠体２３の中で所定の位置で移動することがなく、蒸発皿２２にたまったドレン水は、所定の蒸発を行い、蒸発皿２２より溢れることがなくなる。
【００４１】
（実施の形態４）
図８は、本発明の実施の形態４による冷却貯蔵庫のドレン水蒸発促進装置の斜視図である。図９は同実施の形態の冷却貯蔵庫のドレン水蒸発促進装置を用いた自動販売機の概略構成図である。
【００４２】
図８、図９において、２４は蒸発皿台１０の上部に位置する蒸発皿であり、本体１の下部に位置している。蒸発皿２４の上端部２２ａに、上方に上下方向に開口する枠体２５が固着してあり、枠体２５の一辺を内側に湾曲部２５ａが設けてある。
【００４３】
また、枠体２５の内側に蒸発促進布１９が上下方向に挿入し、蒸発促進布１９は上下方向に蛇腹状に折り目があり、左右方向に伸び縮みする。
【００４４】
以上のように本実施の形態によれば、蒸発皿２４と蒸発促進布１９の清掃後の取付は、蒸発皿２４の上端部２２ａに上方に、固着した上下方向に開口する枠体２５の内側に蒸発促進布１９が上下方向に挿入し、また、前記枠体２５の一辺を内側に湾曲部２５ａは蒸発促進布１９を蒸発皿２４に押圧するするため、蒸発促進布１９は枠体２３の中で所定の位置で移動することがなく、蒸発皿２２にたまったドレン水は、所定の蒸発を行い、蒸発皿２２より溢れることがなくなる。
【００４５】
（実施の形態５）
図１０は、本発明の実施の形態５による冷却貯蔵庫のドレン水蒸発促進装置の斜視図である。図１１は同実施の形態の冷却貯蔵庫のドレン水蒸発促進装置を用いた自動販売機の概略構成図である。
【００４６】
図１０、図１１において、２６は蒸発皿台１０の上部に位置する蒸発皿であり、本体１の下部に位置している。蒸発皿２６の上端部２６ａに上方に、上下方向に開口する枠体２７が固着してあり、枠体２７の内側に櫛歯状の突起２７ａが設けてある。
【００４７】
また、枠体２７の内側に蒸発促進布１９が上下方向に挿入し、また、蒸発促進布１９は、枠体２７の櫛歯状の突起２７ａ間に挿入してある。蒸発促進布１９は上下方向に蛇腹状に折り目があり、左右方向に伸び縮みする。
【００４８】
以上のように本実施の形態によれば、蒸発皿２６と蒸発促進布１９の清掃後の取付は、蒸発皿２６の上端部２６ａに上方に、固着した上下方向に開口する枠体２７の内側に蒸発促進布１９が上下方向に挿入し、また、蒸発促進布１９は、枠体２７の櫛歯状の突起２３ａ間に挿入して取付けるため、蒸発促進布１９は枠体２７の中で所定の位置で移動することがなく、蒸発皿２６にたまったドレン水は、所定の蒸発を行い、蒸発皿２６より溢れることがなくなる。
【００４９】
（実施の形態６）
図１２は、本発明の実施の形態６による冷却貯蔵庫のドレン水蒸発促進装置の斜視図である。図１３は同実施の形態６における冷却貯蔵庫のドレン水蒸発促進装置の蒸発皿の断面図である。
【００５０】
図１２、図１３において、２８は蒸発皿台１０の上部に位置する蒸発皿であり、本体１の下部に位置している。蒸発皿２８の上端部２８ａの上方に、上下方向に開口する枠体２９が固着してあり、枠体２９の下部の蒸発皿内側に蒸発促進布位置固定用の突起３０が設けてある。
【００５１】
また、枠体２９の内側と、枠体２９の下部の蒸発皿内側に蒸発促進布位置固定用の突起３０の内側に蒸発促進布１９が上下方向に挿入してある。蒸発促進布１９は上下方向に蛇腹状に折り目があり、左右方向に伸び縮みする。
【００５２】
以上のように本実施の形態によれば、蒸発皿２８と蒸発促進布１９の清掃後の取付は、蒸発皿２６の上端部２６ａに上方に、固着した上下方向に開口する枠体２９と、枠体２９の下部の蒸発皿内側に蒸発促進布位置固定用の突起３０の内側に蒸発促進布１９が上下方向に挿入しているため、蒸発促進布１９は枠体２９の中で所定の位置で移動することがなく、蒸発皿２８にたまったドレン水は、所定の蒸発を行い、蒸発皿２８より溢れることがなくなる。
【００５３】
なお、本実施の形態において、枠体２９は、蒸発皿２８の上端部２８ａの上方に、上下方向に開口する枠体２９が固着してあるとしたが、枠体２９は、蒸発皿２８の上端部２８ａに上端部２８ａを支点として、実施の形態２で説明した枠体２１のように回動してもよい。
【００５４】
枠体２９を、蒸発皿２８の上端部２８ａに上端部２８ａを支点として実施の形態２で説明した枠体２１のように回動すると、突起の周囲の清掃が容易になる。
【００５５】
【発明の効果】
以上説明したように請求項１に記載の発明は、冷却貯蔵室のドレン水をためる蒸発皿と、折り目を上下方向にして設置する水平断面三角波の蛇腹形状の蒸発促進布と、前記蒸発促進布を内側に挿入し支持する前記蒸発皿の上方に設けた枠体とを備え、前記蒸発促進布は左右方向に伸縮可能としたもので、前記枠体は前記蒸発皿の上端部を支点として回動自在とすることで、前記蒸発促進布の清掃時の着脱性と前記蒸発皿内部の清掃性とを高めたことにより、清掃時の取り付け方が容易で確実で、メンテナンス性がよい冷却貯蔵庫のドレン水蒸発促進装置を提供することができる。
【００５６】
また、請求項２に記載の発明は、請求項１に記載の発明に加えて、枠体の内側に蒸発促進布を保持するための突起を備えたことにより、清掃時の取り付け方が容易で位置決めができ確実で、メンテナンス性がよいとともに、蒸発促進布を枠体に保持することで、蒸発促進布の枠体内での姿勢が安定する。
【図面の簡単な説明】
【図１】本発明による冷却貯蔵庫のドレン水蒸発促進装置の実施の形態１の要部斜視図
【図２】同実施の形態の冷却貯蔵庫のドレン水蒸発促進装置を用いた自動販売機の概略構成図
【図３】本発明による冷却貯蔵庫のドレン水蒸発促進装置の実施の形態２の要部斜視図
【図４】同実施の形態２の冷却貯蔵庫のドレン水蒸発促進装置の蒸発皿と枠体を示す断面図
【図５】同実施の形態の冷却貯蔵庫のドレン水蒸発促進装置を用いた自動販売機の概略構成図
【図６】本発明による冷却貯蔵庫のドレン水蒸発促進装置の実施の形態３の要部斜視図
【図７】同実施の形態の冷却貯蔵庫のドレン水蒸発促進装置を用いた自動販売機の概略構成図
【図８】本発明による冷却貯蔵庫のドレン水蒸発促進装置の実施の形態４の要部斜視図
【図９】同実施の形態の冷却貯蔵庫のドレン水蒸発促進装置を用いた自動販売機の概略構成図
【図１０】本発明による冷却貯蔵庫のドレン水蒸発促進装置の実施の形態５の要部斜視図
【図１１】同実施の形態の冷却貯蔵庫のドレン水蒸発促進装置を用いた自動販売機の概略構成図
【図１２】本発明による冷却貯蔵庫のドレン水蒸発促進装置の実施の形態６の要部斜視図
【図１３】同実施の形態の冷却貯蔵庫のドレン水蒸発促進装置の蒸発皿を示す断面図
【図１４】従来の冷却貯蔵庫のドレン水蒸発促進装置を用いた自動販売機の概略構成図
【図１５】同従来の自動販売機の第１貯蔵室の縦断面図
【図１６】同従来の自動販売機の第２貯蔵室の縦断面図
【符号の説明】
３ａ    第１貯蔵室
３ｂ    第２貯蔵室
１７    蒸発皿
１８    枠体
１９    蒸発促進布
２０    蒸発皿
２０ａ  蒸発皿上部端面
２１    枠体
２２    蒸発皿
２２ａ  蒸発皿上部端面
２３    枠体
２３ａ  枠体の突起
２４    蒸発皿
２４ａ  蒸発皿上部端面
２５    枠体
２５ａ  枠体の湾曲部
２６    蒸発皿
２６ａ  蒸発皿上部端面
２７    枠体
２７ａ  枠体の櫛歯部
２８    蒸発皿
２８ａ  蒸発皿上部端面
２９    枠体
３０    蒸発皿下部の突起
【図１】
0004581207.tif 000002
【図２】
0004581207.tif 000003
【図３】
0004581207.tif 000004
【図４】
0004581207.tif 000005
【図５】
0004581207.tif 000006
【図６】
0004581207.tif 000007
【図７】
0004581207.tif 000008
【図８】
0004581207.tif 000009
【図９】
0004581207.tif 000010
【図１０】
0004581207.tif 000011
【図１１】
0004581207.tif 000012
【図１２】
0004581207.tif 000013
【図１３】
0004581207.tif 000014
【図１４】
0004581207.tif 000015
【図１５】
0004581207.tif 000016
【図１６】
0004581207.tif 000017